(57)【要約】    【課題】身障者用トイレ等の手摺パイプや床等に設置でき、体勢を変えることなく呼出操作を行えて、様々な設置環境に対応できるインターホン呼出器取付構造を提供する。    【解決手段】呼出スイッチが搭載された基板を内蔵する実質的に直方体の筐体１と、筐体の最大面積面Ｍａ側に設けられスイッチを押下するための呼出ボタン１１とを有するインターホン呼出器ＩＰの取付構造であって、筐体の長手方向端面Ｍｉ側に、インターホン呼出器を身障者用トイレ等の手摺パイプＰに引っ掛けるためのフック２２を有するハンガー２を取り付けたものである。また、インターホン呼出器の下面側に床置安定台３を取り付ける。更に、インターホン呼出器の下面側に、インターホン呼出器を手摺パイプに設置するためのパイプアダプタ４を取り付る。    【選択図】図１
2005109629.tif 000002
【特許請求の範囲】
【請求項１】
呼出スイッチ（１３）が搭載された基板（１２）を内蔵する実質的に直方体の筐体（１）と、前記直方体の筐体の最大面積面（Ma）側に設けられ前記呼出スイッチを押下するための呼出ボタン（１１）とを有するインターホン呼出器（IP）の取付構造であって、
前記直方体の筐体の長手方向端面（Mi）側に、前記インターホン呼出器を身障者用トイレ等の手摺パイプ（P）に引っ掛けるためのフック（２２）を有するハンガー（２）を取り付けることを特徴とするインターホン呼出器取付構造。
【請求項２】
前記直方体の筐体は、前記長手方向端面に引っ掛け溝（１４）を、前記ハンガーは、前記フックと反対側の下端で前記引っ掛け溝に係止されて固定するための突起（２１）をそれぞれ有することを特徴とする請求項１記載のインターホン呼出器取付構造。
【請求項３】
呼出スイッチ（１３）が搭載された基板（１２）を内蔵する実質的に直方体の筐体（１）と、前記直方体の筐体の最大面積面（Ma）側に設けられ前記呼出スイッチを押下するための呼出ボタン（１１）とを有するインターホン呼出器（IP）の取付構造であって、
前記インターホン呼出器を前記呼出ボタンが上面側に露出するように身障者用トイレ等の床面に設置するにあたり、前記インターホン呼出器の下面側には、前記インターホン呼出器を前記床面に設置するための床置安定台（３）を取り付けたことを特徴とするインターホン呼出器取付構造。
【請求項４】
前記筐体および前記床置安定台の一方は、前記筐体と前記床置安定台を嵌め合わせて固定するための弾性ツメ（３１）を有し、他方は前記弾性ツメが嵌め合わされるツメ受け（１５）を有することを特徴とする請求項３記載のインターホン呼出器取付構造。
【請求項５】
呼出スイッチ（１３）が搭載された基板（１２）を内蔵する実質的に直方体の筐体（１）と、前記直方体の筐体の最大面積面（Ma）側に設けられ前記呼出スイッチを押下するための呼出ボタン（１１）とを有するインターホン呼出器（IP）の取付構造であって、
前記インターホン呼出器を前記呼出ボタンが上面側に露出するように身障者用トイレ等の手摺パイプ（P）に設置するにあたり、
前記インターホン呼出器の下面側には、前記インターホン呼出器を前記手摺パイプに設置するためのパイプアダプタ（４）を取り付けたことを特徴とするインターホン呼出器取付構造。
【請求項６】
前記筐体および前記パイプアダプタの一方は、前記筐体と前記パイプアダプタを嵌め合わせて固定するための弾性ツメ（４１）を有し、他方は前記弾性ツメが嵌め合わされるツメ受け（１５）を有し、前記パイプアダプタは、前記手摺パイプに着脱可能とするためのポリプロピレン等の弾性部材で構成されたことを特徴とする請求項５記載のインターホン呼出器取付構造。
【請求項７】
前記パイプアダプタは、左右対称の保持翼（４２ａ、４２ｂ）を有し回動軸（４４）により開閉可能な構造とし、身障者用トイレ等の床面にも設置可能とした請求項５または請求項６記載のインターホン呼出器取付構造。
【請求項８】
前記筐体には、前記保持翼を前記手摺パイプを締める方向に加力させるための成形バネ（４５）を有することを特徴とする請求項７記載のインターホン呼出器取付構造。
【請求項９】
前記保持翼には、前記成形バネが当接されることにより開いた状態、閉じた状態を保持するための状態保持リブ（４３）を備えたことを特徴とする請求項８記載のインターホン呼出器取付構造。
【請求項１０】
前記インターホン呼出器は、前記ハンガー、前記パイプアダプタ、前記床置安定台のうち設置場所に応じて選択可能に構成したことを特徴とする請求項１乃至請求項９記載何れか１項記載のインターホン呼出器取付構造。
【発明の詳細な説明】
【技術分野】
【０００１】
この発明はインターホン呼出器取付構造に係り、特に身障者用トイレ等に設置されるインターホン呼出器取付構造に関する。
【背景技術】
【０００２】
従来、身障者用トイレ等には、気分が悪くなったり援助を求める利用者が、看護師や介護者を呼び出すために、呼出スイッチが搭載された基板を内蔵する筐体に呼出スイッチを押下するための呼出ボタンを有するインターホン呼出器が設置されている（例えば、特許文献１参照）。
【０００３】
【特許文献１】特開２００３−１３５３１５
【発明の開示】
【発明が解決しようとする課題】
【０００４】
しかしながら、このようなインターホン呼出器では、インターホンがトイレの壁面に近い手摺に設置されることが多く、実際に呼出ボタンを押下するには体勢を変える必要があり、身障者には使いにくいという難点があった。
【０００５】
本発明が解決しようとする課題は、インターホン呼出器を身障者用トイレ等の手摺パイプや床等に容易に設置できるようにし、身障者が体勢を変えることなく呼出操作を行うことができると共に、様々な設置環境に対応できるインターホン呼出器取付構造を提供することである。
【課題を解決するための手段】
【０００６】
本発明の第１の態様であるインターホン呼出器取付構造は、呼出スイッチが搭載された基板を内蔵する実質的に直方体の筐体と、直方体の筐体の最大面積面側に設けられ呼出スイッチを押下するための呼出ボタンとを有するインターホン呼出器の取付構造であって、直方体の筐体の長手方向端面側に、インターホン呼出器を身障者用トイレ等の手摺パイプに引っ掛けるためのフックを有するハンガーを取り付けたものである。
【０００７】
また、本発明の第２の態様は、第１の態様であるインターホン呼出器取付構造において、直方体の筐体は、長手方向端面に引っ掛け溝を、ハンガーは、フックと反対側の下端で引っ掛け溝に係止されて固定するための突起をそれぞれ有している。
【０００８】
本発明の第３の態様であるインターホン呼出器取付構造は、呼出スイッチが搭載された基板を内蔵する実質的に直方体の筐体と、直方体の筐体の最大面積面側に設けられ呼出スイッチを押下するための呼出ボタンとを有するインターホン呼出器の取付構造であって、インターホン呼出器を呼出ボタンが上面側に露出するように身障者用トイレ等の床面に設置するにあたり、インターホン呼出器の下面側には、インターホン呼出器を床面に設置するための床置安定台を取り付けものである。
【０００９】
また、本発明の第４の態様は、第３の態様であるインターホン呼出器取付構造において、筐体および床置安定台の一方は、筐体と床置安定台を嵌め合わせて固定するための弾性ツメを有し、他方は弾性ツメが嵌め合わされるツメ受けを有している。
【００１０】
本発明の第５の態様であるインターホン呼出器取付構造は、呼出スイッチが搭載された基板を内蔵する実質的に直方体の筐体と、直方体の筐体の最大面積面側に設けられ呼出スイッチを押下するための呼出ボタンとを有するインターホン呼出器の取付構造であって、インターホン呼出器を呼出ボタンが上面側に露出するように身障者用トイレ等の手摺パイプ設置するにあたり、インターホン呼出器の下面側には、インターホン呼出器を手摺パイプに設置するためのパイプアダプタを取り付けたものである。
【００１１】
また、本発明の第６の態様は、第５の態様であるインターホン呼出器取付構造において、筐体およびパイプアダプタの一方は、筐体とパイプアダプタを嵌め合わせて固定するための弾性ツメを有し、他方は弾性ツメが嵌め合わされるツメ受けを有し、パイプアダプタは、手摺パイプに着脱可能とするためのポリプロピレン等の弾性部材で構成されたものである。
【００１２】
本発明の第７の態様は、本発明の第５の態様または第６の態様のインターホン呼出器取付構造において、パイプアダプタは、左右対称の保持翼を有し回動軸により開閉可能な構造とし、身障者用トイレ等の床面にも設置可能としたものである。
【００１３】
また、本発明の第８の態様は、第７の態様であるインターホン呼出器取付構造において、筐体には、保持翼を手摺パイプを締める方向に加力させるための成形バネを有するものである。
【００１４】
また、本発明の第９の態様は、第８の態様であるインターホン呼出器取付構造において、保持翼には、成形バネが当接されることにより開いた状態、閉じた状態を保持するための状態保持リブを備えたものである。
【００１５】
本発明の第１０の態様は、本発明の第１乃至第９のいずれかの態様のインターホン呼出器取付構造において、インターホン呼出器は、ハンガー、パイプアダプタ、床置安定台のうち設置場所に応じて選択可能に構成したものである。
【発明の効果】
【００１６】
以上、説明したように、本発明のインターホン呼出器取付構造の請求項１、２、１０によれば、インターホン呼出器を身障者用トイレ等の手摺パイプに引っ掛けるためのフックを有するハンガーを取り付けたので、ハンガーを移動させて所望の位置にインターホン呼出器を移動可能である。
【００１７】
また、本発明のインターホン呼出器取付構造の請求項３、４、１０によれば、インターホン呼出器の下面側には、インターホン呼出器を床面に設置するための床置安定台を取り付けたもので、床面の所望の位置にインターホン呼出器の設置が可能となる。
【００１８】
さらに、本発明のインターホン呼出器取付構造の請求項５、６、７、８、９、１０によれば、インターホン呼出器の下面側には、インターホン呼出器を手摺パイプに設置するためのパイプアダプタを取り付けたので、手摺パイプの所望の位置に載置状態で設置可能となる。
【００１９】
以上のごとく、様々な設置環境に対応可能となり、体勢を変えることなく呼出操作をおこなうことができる。
【発明を実施するための最良の形態】
【００２０】
以下、本発明のインターホン呼出器取付構造における好ましい実施の形態例について、図面を参照して説明する。
（実施例１）
本発明のインターホン呼出器ＩＰは、図１（ａ）、図２（ａ）、（ｂ）、（ｃ）、（ｄ）に示すように、実質的に直方体の筐体１に、呼出スイッチ１３が搭載された基板１２を内蔵し、直方体の筐体１の最大面積面Ｍａ側に設けられ呼出スイッチ１３を押下するための呼出ボタン１１とを有するものである。
【００２１】
図１（ａ）、図２（ｄ）に示すように、直方体の筐体１の長手方向端面Ｍｉ側に、インターホン呼出器ＩＰを身障者用トイレ等の手摺パイプＰに引っ掛けるためのフック２２を有するハンガー２が取り付けられるものである。
【００２２】
図２（ｄ）に示すように、直方体の筐体１は、長手方向端面に引っ掛け溝１４を有し、ハンガー２は、フック２２と反対側の下端で引っ掛け溝１４に係止されて固定するための突起２１を有している。
【００２３】
筐体１の引っ掛け溝１４にハンガー２の突起２１を装着すると、手摺パイプＰに懸架状態ではインターホン呼出器ＩＰとハンガー２が外れることがない。また、最小面積Ｍｉ側にハンガー２を懸架したので手摺パイプＰに懸架した状態であっても邪魔になることがない。
（実施例２）
また、本発明のインターホン呼出器ＩＰは、図１（ｂ）、図３（ａ）、（ｂ）、（ｃ）に示すように、インターホン呼出器ＩＰを呼出ボタン１１が上面側に露出するように身障者用トイレ等の床面に設置するにあたり、インターホン呼出器ＩＰの下面側には、インターホン呼出器ＩＰを床面に設置するための床置安定台３を取り付けたもので、床置安定台３には、筐体１と床置安定台３を嵌め合わせて固定するための弾性ツメ３１を設け、筐体１側に弾性ツメ３１が嵌め合わされるツメ受け１５を設けている。弾性ツメ３１とツメ受け１５によりインターホン１と床置安定台３とを嵌め合わせて床面に設置することにより、足で呼出ボタン１１を押下することができるので体勢を変える必要もない。
【００２４】
なお、筐体１に弾性ツメ３１を設け、床置安定台３にツメ受け１５を設けても同様に好適である。
（実施例３）
更に、本発明のインターホン呼出器ＩＰを呼出ボタン１１が上面側に露出するように身障者用トイレ等の手摺パイプＰに設置するにあたり、図１（ｃ）、図４、（ａ）、（ｂ）に示すように、インターホン呼出器ＩＰの下面側には、インターホン呼出器ＩＰを手摺パイプＰに設置するためのパイプアダプタ４を取り付ける。
【００２５】
図４（ｂ）に示すように、パイプアダプタ４は、筐体１とパイプアダプタ４を嵌め合わせて固定するための弾性ツメ４１を有し、図４（ｃ）に示すように、筐体１は弾性ツメ４１が嵌め合わされるツメ受け１５を有している。
【００２６】
弾性ツメ４１とツメ受け１５によりインターホン１とパイプアダプタ４とが嵌めあわされて手摺パイプＰに取り付けると、手摺パイプＰ上に大型呼出ボタン１１があるので、体勢を変えることなく呼出操作をおこなうことができる。
【００２７】
本発明のインターホン呼出器ＩＰに採用されるパイプアダプタ４は、手摺パイプＰに着脱可能とするため、ポリプロピレン、ゴム等の弾性部材で構成されることが望ましい。
【００２８】
なお、筐体１に弾性ツメ４１を設け、パイプアダプタ４にツメ受け１５を設けても同様に好適である。
【００２９】
また、本発明のインターホン呼出器ＩＰに採用されるパイプアダプタ４は、図５（ａ）に示すように、左右対称の保持翼４２ａ、４２ｂを有し、同図（ｂ）に示すパイプアダプタ４の回動軸４４により開閉可能な構造としたので、手摺パイプＰの形状や太さに関わらず設置が可能となる。また、同図（ｃ）に示すように、身障者用トイレ等の床面にも設置可能となる。
【００３０】
更に、図５（ｄ）に示すように、筐体１は、保持翼４２ａ、４２ｂを手摺パイプＰを締める方向に加力させるための成形バネ４５を有するものである。
【００３１】
なお、同図（ｂ）に示すように、保持翼４２ａ、４２ｂは、成形バネ４５が当接されることにより開いた状態、閉じた状態を保持するための状態保持リブ４３を備えている。これにより手摺パイプＰへの脱着をさらに容易にできるとともに、開状態の場合においては、そのまま床面に設置することでパイプアダプタ４をインターホン呼出器ＩＰの床置安定台の代わりとして用いることもできる。尚、成形バネ４５はパイプアダプタ４と一体的に設けても良い。
【産業上の利用可能性】
【００３２】
上述のように構成された本発明のインターホン呼出器取付構造では、インターホン呼出器ＩＰは、ハンガー２、床置安定台３、パイプアダプタ４のうち設置場所に応じて選択可能であり、実施例１〜３を実施できるように全ての構造を有していることはいうまでもない。
【００３３】
尚、付帯効果としてはインターホン呼出器ＩＰを個々に製造しなくてもよいのでコスト削減につながる。
【図面の簡単な説明】
【００３４】
【図１】本発明によるインターホン呼出器取付構造を説明する図で、（ａ）は手摺パイプに吊るして取付ける図、（ｂ）は床置状態の図、（ｃ）は手摺パイプに載置される図である。
【図２】本発明によるインターホン呼出器取付構造を説明する図で、（ａ）、（ｂ）は内部の呼出ボタンと基板の位置を説明する図、（ｃ）はハンガーが取付けられた斜視図、（ｄ）はハンガー取付けに係る説明図である。
【図３】本発明によるインターホン呼出器取付構造の床に置いて取付ける場合を説明する図で、（ａ）は完成状態の斜視図、（ｂ）は分解斜視図、（ｃ）は断面による説明図である。
【図４】本発明によるインターホン呼出器取付構造においてパイプアダプタを使用する場合を説明する図で、（ａ）は完成状態の斜視図、（ｂ）は分解斜視図、（ｃ）は断面による説明図である。
【図５】本発明によるインターホン呼出器取付構造においてパイプアダプタを使用する他の実施例を説明する図で、（ａ）はパイプに載置される図、（ｂ）は分解斜視図、（ｃ）は床置状態の斜視図、（ｄ）は断面による説明図である。
【符号の説明】
【００３５】
１…筐体
１１…呼出ボタン
１２…基板
１３…呼出スイッチ
１４…引っ掛け溝
１５…ツメ受け
２…ハンガー
２１…突起
２２…フック
３…床置安定台
３１…弾性ツメ
４…パイプアダプタ
４１…弾性ツメ
４２ａ、４２ｂ…保持翼
４３…状態保持リブ
４４…回動軸
４５…成形バネ
Ｍａ…筐体の最大面積面
Ｍｉ…筐体の長手方向端面
Ｐ…手摺パイプ
ＩＰ…インターホン呼出器
【図１】
2005109629.tif 000003
【図２】
2005109629.tif 000004
【図３】
2005109629.tif 000005
【図４】
2005109629.tif 000006
【図５】
2005109629.tif 000007